(57)【要約】【課題】点検作業を容易化できる照明装置を提供することである。【解決手段】実施形態の照明装置１０は、光源１１と、外部端末と情報の送受信可能である通信部１４と、外部電源１８の電力を充電可能な蓄電池１２と、蓄電池１２の点検を実行する点検部１５と、情報を記憶する記憶部１７と、通信部１４を介して記憶部１７が記憶している情報を更新する制御をトリガとして、点検部１５に蓄電池１２の点検動作を実行する制御を行う制御部１３とを備える。【選択図】図３
2019133744.tif 000002
【特許請求の範囲】
【請求項１】
光源と；
外部端末と情報の送受が信可能である通信部と；
外部電源の電力を充電可能な蓄電池と；
前記蓄電池の点検を実行する点検部と；
情報を記憶する記憶部と；
前記通信部を介して前記記憶部が記憶している情報を更新する制御をトリガとして、前記点検部に前記蓄電池の点検動作を実行させる制御部と；
を備えたことを特徴とする照明装置。
【請求項２】
前記制御部は、前記記憶部にサービス情報を記憶し、このサービス情報を前記外部端末から受信したサービス情報に更新する制御をトリガとして、前記記憶部に前記蓄電池の点検動作を実行させることを特徴とする請求項１に記載の照明装置。
【請求項３】
前記照明装置の前記記憶部は、前記外部端末と通信を行うための認証パスワードを記憶し、前記制御部は、前記認証パスワードを更新する制御をトリガとして、前記点検部に点検動作を実行させることを特徴とする請求項１または請求項２に記載の照明装置。
【請求項４】
前記請求項１ないし３のいずれか一項に記載の照明装置と、
前記照明装置と通信可能な外部端末と、
を備えた照明システム。
【発明の詳細な説明】
【技術分野】
【０００１】
本発明の実施形態は、蓄電池を備えた照明装置および照明システムに関する。
【背景技術】
【０００２】
近年、非常灯や誘導灯などの照明装置に無線通信機を搭載した非常用照明装置がある。これらの非常用照明装置は、常用時は搭載している無線通信機から店舗の商品情報や位置情報を店舗利用者の端末に送信する。一方、非常時には常用電源である外部電源が遮断されるため搭載した充電池の電力により光源を点灯させるとともに、無線通信機から避難情報を避難者の端末へ送信する機能を有する。
【０００３】
また、これら蓄電池を搭載した非常用照明装置は法令により点検が義務づけられており非常用照明装置は無線通信機を介して点検作業者の外部端末と点検情報の送受信を行う。点検作業は、具体的には蓄電池の電力を光源に供給し一定の時間以上点灯させる。この点検作業の点検頻度は、およそ半年に１回実施することが義務付けられているが、災害時の安全確保のために日常的に点検作業を行うことが好ましい。
【０００４】
しかしながら、複数台設置されている非常用照明装置を日々点検しようとする場合、点検作業者がその点検作業を行うのは煩雑な作業となる。
【先行技術文献】
【特許文献】
【０００５】
【特許文献１】特開２００７−２１４１４６号公報
【発明の概要】
【発明が解決しようとする課題】
【０００６】
本発明が解決しようとする課題は、点検作業を容易化できる照明装置を提供することである。
【課題を解決するための手段】
【０００７】
実施形態の照明装置は、光源と、外部端末と情報の送受信可能である通信部と、外部電源の電力を充電可能な蓄電池と、蓄電池の点検を実行する点検部と、情報を記憶する記憶部と、通信部を介して記憶部が記憶している情報を更新する制御をトリガとして、点検部に蓄電池の点検動作を実行する制御を行う制御部とを備える。
【発明の効果】
【０００８】
本発明によれば、通信部を介して記憶部が記憶している情報を更新する制御をトリガとして点検動作を実行することができるため、点検作業を容易化することができる。
【図面の簡単な説明】
【０００９】
【図１】第１の実施形態の照明システムの構成を示す斜視図である。
【図２】同上照明装置を示す斜視図である。
【図３】同上照明装置の構成例を示すブロック図である。
【図４】同上照明システムの動作を示すシーケンス図である。
【図５】第２実施形態の照明システムの動作を示すシーケンス図である。
【発明を実施するための形態】
【００１０】
以下、第１の実施形態を図面を参照して説明する。
【００１１】
図１は本実施の形態の照明システムの構成を示す。図１に示すように、照明システム１００は、スーパーやデパートなどの店舗内の照明空間１の天井面に設置された照明装置１０と、照明装置１０と通信可能に接続される外部端末２０とから構成される。具体的には、照明装置１０は停電時などの非常時に点灯する非常灯であり、それぞれ天井面に所定の間隔で設置されている。
【００１２】
端末２０は、スマートフォンやタブレット端末等の携帯端末であり、照明装置１０と無線通信が可能に構成されている。
【００１３】
また、各照明装置１０間、および各照明装置１０と端末２０との間の通信方式は、たとえば、ＢＬＥ（Bluetooth（登録商標）Low  Energy）などのメッシュネットワークが可能な無線通信方式である。
【００１４】
図１に示すように、照明装置１０は、外部電源による電力の供給が停止した場合に点灯する非常用照明装置、或いは、避難経路への誘導のため常時点灯する誘導用照明装置である。本実施形態の照明装置１０は、非常用照明装置（非常灯）を例としており、たとえばスーパーやデパートなどの店舗内の照明空間の天井面に等間隔に設置される。
【００１５】
図２および図３は、照明装置１０の構成を示している。照明装置１０は、光源１１と、蓄電池１２と、制御部１３および点検部１５と記憶部１７と、通信部１４とを備え、これらは照明装置の筐体３０の内部に収納されている。また、筐体３０の背面側には、外部電源１８と接続される端子台１９が設けられている。
【００１６】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１７】
蓄電池１２は、筐体３０の内部に着脱可能な電池であり、ニカド電池、ニッケル水素電池、あるいはリチウムイオン電池などの充電可能な二次電池である。
【００１８】
外部電源１８は、商用交流電源、あるいは直流電源など、任意の電源とすることが可能である。本実施形態では、外部電源を商用交流電源としている。
【００１９】
端子台１９は、筐体３０の背面側に設けられており、図示しない電線を介して外部電源１８と制御部１３とを電気的に接続するものである。
【００２０】
制御部１３は、外部電源１８および蓄電池１２と電気的に接続されており、外部電源１８および蓄電池１２の電力を光源１１、通信部１４などに供給するものである。制御部１３には、外部電源１８から供給された電力が端子台１９を介して供給される。制御部１３は、常用時には外部電源１８の電力を蓄電池１２に供給し蓄電池１２の充電を行い、非常時には蓄電池１２の電力を光源１１に供給するように制御する。
【００２１】
また、制御部１３は、点検部１５および記憶部１７を備えている。
【００２２】
点検部１５は、蓄電池１２の点検を実施する。ここで、点検とは、法令で定められた所定の時間よりも短い時間で行う短時間点検である。具体的には、蓄電池１２の電圧、電流、温度、放電時間及び放電回数を検知することにより蓄電池１２が正常に動作するか否かの点検を行い、これらの点検情報を記憶部１７に出力する。点検中は、光源１１は点灯しない。
【００２３】
記憶部１７は、揮発性メモリおよび不揮発性メモリなどから構成される。記憶部１７は、点検部１５から入力される点検情報や、デパート内におけるその店舗が薦める商品やイベントなどのサービス情報を記憶する。サービス情報は、照明装置１０とは直接的に関係しない情報であり、前記商品やイベントなどの広告宣伝の情報である。
【００２４】
また、記憶部１７は、外部端末２０と通信するときの認証パスワードを記憶する。この認証パスワードとは、端末２０と照明装置１０との間の通信および照明装置１０と他の照明装置１０との間の通信に要する認証パスワードでる。この認証パスワードを有していない端末２０は、照明装置１０と通信することができない。したがって、照明装置１０の記憶部１７の記憶情報を変更することができないためセキュリティが強化される。
【００２５】
通信部１４は、たとえば無線通信機であり外部電源１８または蓄電池１２から供給される電力により駆動し、記憶部１７に記憶した点検情報やサービス情報を外部に送信する。通信部１４は、たとえば、デパート内におけるその店舗が薦める商品やイベントなどのサービス情報を外部に送信する。
【００２６】
店舗利用者は、たとえば、スマートフォンなどの外部端末を所持することにより通信部１４から送信されたサービス情報を受信することができる。
【００２７】
制御部１３は、通信部１４を介して記憶部１７に記憶した情報を更新する動作をトリガとして点検部１５に点検動作を実行させる制御を行う機能を有する。たとえば、記憶部１７に記憶したデパート内におけるその店舗が薦める商品やイベントなどのサービス情報を更新する場合、端末２０から最新情報を通信部１４へ送信する。通信部１４を介して最新のサービス情報を受信した照明装置１０の制御部１３は、それまで記憶部１７に記憶していたサービス情報を最新のサービス情報に更新するとともに、記憶部１７のサービス情報を更新する制御をトリガとして点検部１５に点検動作を実行させる制御を行う。
【００２８】
次に、照明システム１００を用いて作業者が照明装置１０の情報を更新する流れを図４を参照して説明する。
【００２９】
まず作業者は、端末２０に店舗が薦める商品やイベントなどの最新のサービス情報を記憶させ照明装置１０に送信する（Ｓ１）。照明装置１０は通信部１４を介して最新のサービス情報を受信し、制御部１３はそれまで記憶していたサービス情報を最新のサービス情報に更新する（Ｓ２）。制御部１３は、最新のサービス情報を通信部１４を介して外部へ送信する（Ｓ３）。また、制御部１３は、Ｓ２で記憶部１７のサービス情報を更新する制御をトリガとして点検部１５に蓄電池１２の点検動作を実行させる（Ｓ４）。点検後、点検部１５は点検結果を記憶部１７に送信し、記憶部１７は点検結果を記憶する（Ｓ５）。作業者は、点検結果を収集する場合、端末２０から照明装置１０へ点検結果の要求信号を送信する（Ｓ６）。要求信号を受信した照明装置１０は、記憶部１７から点検結果を呼び出し端末２０へ送信する（Ｓ７）。
【００３０】
このように、スーパーやデパートなどの店舗では、日々商品情報やイベント情報などのサービス情報が更新されるため、このサービス情報の更新をトリガとして点検動作を実施することにより、点検頻度が高まり日々の点検作業を容易に行うことができる。また、点検頻度が高まることにより災害時でも正常に駆動できるように安全性を確保することができる。つまり、点検作業の容易化と点検による品質の安全確認を同時に行うことができる。また、照明装置１０は、サービス情報の更新をトリガとして行う点検動作を任意に変更してもよい。たとえば、サービス情報が５回更新されると５回目をトリガとして点検動作を実施してもよい。このように、点検動作のタイミングを任意に変更することにより必要以上に点検を行うことを防止することができる。
【００３１】
次に第２の実施形態の照明システム１００について説明する。
【００３２】
第２の実施形態の照明装置の基本構成は第１の実施の形態と同様であるが照明装置１０の制御部１３の機能の一部が相違している。
【００３３】
第２の実施形態の照明システム１００は、端末２０と照明装置１０との通信は、認証パスワードを必要とし、照明装置１０は自身の記憶部１７に認証パスワードを記憶する。照明装置１０は、記憶部１７に記憶した認証パスワードを更新する場合、認証パスワードの更新をトリガとして点検部１５に蓄電池１２の点検を実行させる制御を行う。
【００３４】
次に第２の実施形態の動作について説明する。図５を参照して端末２０と照明装置１０との通信に必要な認証パスワードを更新する流れを説明する。
【００３５】
端末２０から照明装置１０へ認証パスワードを変更する信号を送信する（Ｓ１）。照明装置１０は、通信部１４を介して信号を受信し、制御部１３は記憶部１７に記憶した認証パスワードを受信した認証パスワードに更新する（Ｓ２）。制御部１３は、記憶部１７の認証パスワードの更新をトリガとして点検部１５に蓄電池１２の点検動作を実行させる（Ｓ３）。点検後、点検部１５は点検結果を記憶部１７に送信し、記憶部１７は点検結果を記憶する（Ｓ４）。作業者は、点検結果を収集する場合、端末２０から照明装置１０へ点検結果の要求信号を送信する（Ｓ５）。要求信号を受信した照明装置１０は、記憶部１７から点検結果を呼び出し端末２０へ送信する（Ｓ６）。
【００３６】
端末２０を用いて照明装置１０が記憶したサービス情報を更新する場合、認証パスワードを有する端末２０のみ照明装置１０と通信することができるため、認証パスワードを有しない端末２０が照明装置１０と通信することはできない。このように、認証パスワードを持たせることによりセキュリティを強化することができる。この認証パスワードは定期的に更新することにより、さらなるセキュリティ強化を行うことができるとともに、点検動作を実行することができる。つまり、認証パスワードによるセキュリティの強化と点検による品質の安全確認を同時に行うことができる。
【００３７】
また、認証パスワードの更新をトリガとして行う点検は、短時間ではなく法令で定められた点検を実施してもよい。つまり、認証パスワードを更新する期間を半年に1回とすることで、認証パスワードの更新とあわせて法令で定められた点検を行うことができる。
【００３８】
第１の実施形態および第２の実施形態の照明システム１００は、端末２０と１台の照明装置１０が通信する場合を例に説明したが、照明装置１０は端末２０から受信したサービス情報または認証パスワードをＢＬＥメッシュ通信を介して他の照明装置１０に送信してもよい。たとえば、図１に示す複数の照明装置１０の中の１台が端末２０からサービス情報を受信した場合、ＢＬＥメッシュ通信を介して残り８台の照明装置１０にサービス情報を送信することで各照明装置１０は各々の記憶部１７の情報を更新するとともに点検動作を行う。つまり、端末２０は１台と通信することにより残り８台の照明装置１０のサービス情報の更新と点検動作を行うことができる。
【００３９】
また、実施形態では、照明装置は店舗に設置され商品やイベントなどのサービス情報を記憶する構成について説明したがこれに限るものではない。たとえば、照明装置は施設などに設置され、位置情報を記憶する構成でも良い。この場合、照明装置は、記憶部に記憶した位置情報を更新する制御をトリガとして点検動作を実行する。
【００４０】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０  照明装置
１１  光源
１２  蓄電池
１３  制御部
１４  通信部
１５  点検部
１７  記憶部
１００  照明システム
【図１】
2019133744.tif 000003
【図２】
2019133744.tif 000004
【図３】
2019133744.tif 000005
【図４】
2019133744.tif 000006
【図５】
2019133744.tif 000007